(57)【要約】【課題】  係脱自在にパレットに取付け可能にして外れ難く、また与えられたパレットの敷地スペースに対しパレットの収納効率を高めて段積みできるパレットサポートの取付け具を提供する。【解決手段】  一の平板部1aと他の平板部1bとからなる平面視Ｌ字形の主板片1と、該主板片の角部外側にパレットサポート5の横断面Ｌ形とする基端部分521が嵌入する平面視Ｌ形溝4が設けられるよう該主板片の角部外面に固着される両側縁鉤付きの副板片2と、平板状基端部31に対し先端部32が屈折した板状体で、一の平板部1aと基端部31が並行にして他の平板部1bに固着される舌片3とを具備し、樹脂製の方形盤状パレット7の角部70に形成された挿入穴72に舌片3を係脱自在に挿入可能として挿着することにより主板片1の内面がパレットの角部70に当接し該舌片が挿入穴72を形成する穴壁に係止されて該舌片の動きが規制されるようにした。【選択図】  図１
0003123989.tif 000002
【実用新案登録請求の範囲】
【請求項１】
一の平板部(1a)と他の平板部(1b)とからなる平面視Ｌ字形の主板片(1)と、該主板片の角部外側にパレットサポート(5)に係る支柱部(52)の横断面Ｌ形とする基端部分(521)が嵌入する平面視Ｌ形溝(4)が設けられるよう、該主板片の角部外面に固着される平面視略Ｌ字形にして両側縁鉤付きの副板片(2)と、平板状基端部(31)に対し先端部(32)が屈折又は屈曲した板状体で、前記一の平板部(1a)と該基端部(31)が略並行になるようにして、前記他の平板部(1b)に起立状態で固着される舌片(3)と、を具備し、
樹脂製で方形の盤状パレット(7)の四隅の各角部(70)の近傍に形成された挿入穴(72)に、前記舌片(3)を係脱自在に挿入可能として、該舌片を挿着することにより主板片(1)の内面が盤状パレットの角部(70)に当接すると共に該舌片が前記挿入穴(72)を形成する穴壁に係止されて該舌片の動きが規制されるようにしたことを特徴とするパレットサポートの取付け具。
【請求項２】
前記Ｌ形溝(4)の下端で、前記副板片(2)の下縁部分が主板片(1)側に屈曲して前記Ｌ形溝に嵌入される前記基端部分(521)を係止するストッパ部(22)が形成された請求項１記載のパレットサポートの取付け具。
【考案の詳細な説明】
【技術分野】
【０００１】
本考案は方形の樹脂製パレットが段積みできるようパレットサポートをパレットに取着するためのパレットサポートの取付け具に関する。
【背景技術】
【０００２】
パレットを段積みするには、パレットの四隅角部に取付け金具を固着し、該取付け金具に門形枠のパレットサポートを保持させるのが一般的で、簡便に組み立てられる発明技術も提案されている(例えば特許文献１)。
【０００３】
【特許文献１】特開平７−２３７６３６号公報
【考案の開示】
【考案が解決しようとする課題】
【０００４】
しかるに、特許文献１の取付け金具にはパレットサポートの角鋼からなる支柱が保持されるため、平面視でパレットの内側に角鋼が入る分だけ、収納スペースが奪われパレットの収納効率を悪くしていた。
また、木製パレットなどでは、従来、例えば図１１のようなパレットサポートＴ,取付け金具８が用いられてきた。木製パレット９の四隅角部に取付け金具８を固着し、該取付け金具８の円筒部８１に門形枠のパレットサポートＴに係る柱部Ｔ１の下端を取り付けたものである。取付片８２と円筒部８１が結合した取付け金具８は、その取付片８２をパレットコーナの枕木９３に固着しパレット９に一体化する。そして、該円筒部８１にパレットサポートＴの柱部Ｔ１の下端を挿着することにより該パレットサポートＴがパレット９に対し門形に立設固定される。
しかし、図１１のような取付け金具８は、特許文献１とは逆にパレット９の側部に円筒部８１が張り出しているために、倉庫等で横一列にパレット９,９,…を並べていくとスペースロスが問題になった。パレット９の両サイドで大きく出っ張った円筒部８１の張出部分がデッドゾーンになり、パレット９をいくつか横に並べていくと、円筒部８１で一個分のパレットスペースを使い果たすことになった。横方向で失うパレット個数分は、奥行き方向にパレット９を配設する場合、奥行き方向に並ぶパレット９の数との掛け算でパレット収容量を失い、さらに高さ方向に段積みされる場合はさらにそれらと段積みされるパレット９の数の掛け合わせで、パレット収容数を減らすことになった。加えて、近年は樹脂製パレットが多用されるようになっているが、その樹脂製パレットに関しては、木製や金属製パレットと違って取付け金具をパレットに固定するのに手間取る問題があった。
【０００５】
本考案は上記問題点を解決するもので、係脱自在に樹脂製パレットに取付け可能にして、また一旦取り付けられると外れ難く、さらに、与えられたパレットの敷地スペースに無駄スペースを発生させることがなく、パレットの収納効率を存分に高めて段積みできるようにするパレットサポートの取付け具を提供することを目的とする。
【課題を解決するための手段】
【０００６】
上記目的を達成すべく、請求項１に記載の考案の要旨は、一の平板部(1a)と他の平板部(1b)とからなる平面視Ｌ字形の主板片(1)と、該主板片の角部外側にパレットサポート(5)に係る支柱部材(52)の横断面Ｌ形とする基端部分(521)が嵌入する平面視Ｌ形溝(4)が設けられるよう、該主板片の角部外面に固着される平面視略Ｌ字形にして両側縁鉤付きの副板片(2)と、平板状基端部(31)に対し先端部(32)が屈折又は屈曲した板状体で、前記一の平板部(1a)と該基端部(31)が略並行になるようにして、前記他の平板部(1b)に起立状態で固着される舌片(3)と、を具備し、樹脂製で方形の盤状パレット(7)の四隅の各角部(70)の近傍に形成された挿入穴(72)に、前記舌片(3)を係脱自在に挿入可能として、該舌片を挿着することにより主板片(1)の内面が盤状パレットの角部(70)に当接すると共に該舌片が前記挿入穴(72)を形成する穴壁に係止されて該舌片の動きが規制されるようにしたことを特徴とするパレットサポートの取付け具にある。
請求項２の発明たるパレットサポートの取付け具は、請求項１に係るＬ形溝(4)の下端で、前記副板片(2)の下縁部分が主板片(1)側に屈曲して前記Ｌ形溝に嵌入される前記基端部分(521)を係止するストッパ部(22)が形成されたことを特徴とする。
【考案の効果】
【０００７】
本考案のパレットサポートの取付け具は、係脱自在に樹脂製パレットに取付けでき、しかも一旦取り付けられれば外れ難くなり、さらに与えられた敷地スペースに対し無駄スペースが発生せず、パレットの収納効率を存分に高めて段積みできるなど多大な効を奏する。
【考案を実施するための最良の形態】
【０００８】
以下、本考案に係るパレットサポート５の取付け具(以下、単に「取付け具」という。)について詳述する。
図１〜図１０は本考案の取付け具の一形態で、図１はその斜視図、図２は該取付け具の正面図、図３は該取付け具の平面図である。図４は樹脂製パレットの斜視図、図５は図４のパレットの角部周りの拡大斜視図、図６は取付け具の舌片をパレットの挿入穴へ挿入する様子を示した斜視図である。図７,図８は舌片が挿入穴に挿着された状態の拡大図で、図７が一部破断平面図、図８が拡大斜視図である。図９は挿入穴に舌片を挿着しパレットに係止された取付け具にパレットサポートを取着した斜視図、図１０はパレットの四隅に取付け具,パレットサポートを係止した姿態の平面図である。
【０００９】
取付け具は主板片１と副板片２と舌片３とを具備する金属製品である。本実施形態は図１〜３が図４のパレット７の正面右側と背面左側の挿入穴７２に挿着される取付け具を表し、図６〜図８が図４のパレット７の正面左側と背面右側の挿入穴７２に挿着される取付け具を表す。図１〜３の取付け具と図６〜図８の取付け具とは左右対称品である。
【００１０】
主板片１は一の平板部１ａと他の平板部１ｂとからなる平面視Ｌ字形の金属製板片とする。所定厚みの平鋼板から、例えば一の矩形平板部１ａと他の矩形平板部１ｂの大きさに切断すると共に平面視Ｌ字形に屈曲して図１に示すごとくの主板片１が作製される。ここでは主板片１の上縁両側１２が面取りカットされ、一の平板部１ａと他の平板部１ｂを同形とする。主板片１の下縁１５から上縁１４までの高さを盤状パレット７の盤厚み(パレット側部７ｃの高さ)にほぼ等しくする。主板片１は平面視Ｌ字形のその角部１３を樹脂製パレット７の角部７０に当接させると、パレット７の角部７０の近傍に形成された挿入穴７２を塞いでしまう大きさがある。
【００１１】
本発明に用いるパレット７は図４〜図１０のごとくの樹脂製の汎用パレットである。四隅の各角部７０の近傍に挿入穴７２が形成された方形の盤状パレットである。図中、符号７ａは積載部となる上板部、符号７ｂは下板部、符号７ｃは側部、符号７１は支柱部、符号７３はフォークリフトの爪挿入孔を示す。図４,図５のごとく天部７７と下部７８と側部７９,７９とでフォークリフトの爪挿入孔７３を形成するが、該側部７９が支柱部７１の一部を構成する。該支柱部７１はまた角部７０とで挿入穴７２を形成する。挿入穴７２の入口は支柱部７１側にアールが形成され、少し大きくなっている(図７)。挿入穴７２は図５,図８のごとく上下リブ７５,７５と支柱部７１の穴壁７１１と角部７０の穴壁７０１に囲まれた縦長孔で、舌片３に係る基端部３１の平面視長さ相当分だけ図５の紙面垂直奥方向に延びる。その先は支柱部７１の穴壁が途切れていて、舌片３の先端部３２が入り込める図８ごとくの小孔７６からなる空所が設けられている。パレット７の他の箇所に形成される小孔７６は基本的に軽量化を図るもので、また他のリブ７５は補強用のものである。
【００１２】
副板片２は前記主板片１の角部外面１０に固着される平面視略Ｌ字形にして両側縁鉤付きの金属製板片である。主部２０の平面視形状が支柱部材５２に係る基端部分５２１の横断面Ｌ形の形状に対応する。副板片２を主板片１に固着することにより主部２０から直角に屈曲する鉤部２１によってＬ形溝４の溝幅が確保される。該副板片２が主板片１の角部外面１０に固着されて、主板片１の角部外側にパレットサポート５に係る支柱部材５２の横断面Ｌ形とする基端部分５２１が嵌入する平面視Ｌ形溝４が設けられる。しかるに、主板片１の内面１１をパレット７の角部７０に当接させたとき、図１１の取付け金具８と異なり、図７,図８のごとく主板片１の板厚みに加え、Ｌ形溝４の溝幅を確保した副板片２の僅かな部分がパレット７の外方へ張り出すにとどまる。
該Ｌ形溝４の下端には、副板片２の下縁部分が主板片１側に屈曲してＬ形溝４に嵌入される前記基端部分５２１を係止するストッパ部２２が形成される。ストッパ部２２はＬ形溝４の横断面全域を覆わずに一部を切欠くように設けられ、雨水の水抜き孔４１を形成する(図２,図３)。副板片２の丈は図２に示すごとく主板片１の丈にほぼ等しく、副板片２の上縁は主板片１の上縁に一致する。
【００１３】
ここで、本実施形態は図９,図１０ごとくのパレットサポート５を用いる。Ｌ形鋼からなる二本の支柱部材５２の上端をバー状の金属製横架部材５１で連結して門形枠とするパレットサポート５である。図１０のごとく一対のパレットサポート５をクロス配設して、パレット７の四隅に取り付けられた取付け具の各Ｌ形溝４に両パレットサポート５に係る支柱部材５２の基端部分５２１をそれぞれ嵌入することで、パレット７に本取付け具を介して両パレットサポート５,５が起立保持される。Ｌ形鋼からなる支柱部材５２の横断面Ｌ形の基端部分５２１が平面視Ｌ形溝４に嵌合する。図９中、符号５１１は凹み部分で、一対のパレットサポート５をうまくクロス配設させるための窪みである。符号５３は補強板で、機械的強度アップと同時に、パレット７に起立保持されたパレットサポート５の上に、別のパレット７を安定した状態で段積みできるようにする補助板の役割も果たす。
【００１４】
舌片３は矩形金属板片の曲げ加工品で、平板状基端部３１に対し先端部３２が屈折(又は屈曲)した金属製板状体である。屈曲ライン３３が下半部たる基端部３１と上端部たる先端部３２の境に設けられる。該舌片３の基端部３１が前記一の平板部１ａと略並行になるようにして、前記他の平板部１ｂに起立状態で固着される。舌片３の基端部３１に対する先端部３２の屈折方向(又は屈曲方向)は、取付け具をパレットに取着したとき、パレット中央側に屈折(又は屈曲)する方向になる(図７,図８)。
舌片３の丈が樹脂製で方形の盤状パレット７の四隅の各角部７０の近傍に形成された挿入穴７２の丈に等しくするか若干小さ目になるよう設定される。舌片３の下縁３５は主板片１の下縁１５よりも高さｈ１だけ上げ、また舌片３の上縁３４は主板片１の上縁１４よりも高さｈ２だけ低くし、該舌片３の基端部３１が他の平板部１ｂに溶接固定される。そして、パレット７の挿入穴７２に該舌片３を係脱自在に挿入可能として、該舌片３を挿入穴７２に挿着することにより主板片１の内面１１が盤状パレット７の角部７０に当接すると共に該舌片３が前記挿入穴７２を形成する穴壁７０１,７１１に係止されて該舌片３の動きが規制されるようにする。
【００１５】
前記舌片３の挿入穴７２への挿着、すなわち取付け具のパレット７への取着は次のようになされる。
挿入穴７２への舌片３の挿入にあたって、本実施形態は基端部３１に対し先端部３２が約３０°ほど折れ曲がっており(図３)、屈折ライン３３の所までの全ての先端部３２をまず挿入穴７２に挿入する(図６)。次いで、屈折ライン３３を中心に取付け具を旋回させながら基端部３１を挿入穴７２に挿入していく。そして、最終的に主板片１の内面１１をパレット７の角部７０に当接させるところまでもっていく(図７,図８)。かくのごとくして、舌片３が挿入穴７２を形成する角部７０に係る穴壁７０１及び支柱部７１に係る穴壁７１１に当接又はこれらに沿うように配設される。挿入穴７２に舌片３をこのように挿着してパレット７に取着された取付け具は、外力を加えても前記舌片３の挿着時と全く逆方向の複雑な力を順に加えていかない限り、舌片３が穴壁７０１,７１１に係止されて舌片３の動きが規制され又主板片１が角部７０に係止されて取付け具の動きは止められることとなる。
なお、パレット７に取着された図８の状態下の取付け具は、主板片１の下縁１５がパレット７の下板部７ｂにほぼ一致し、また主板片１の上縁１４がパレット７の上板部７ａにほぼ一致する。
【００１６】
このように構成した取付け具は、樹脂製パレット７の四隅に形成された挿入穴７２を利用してここに係脱自在に取着できるので、パレット７への取付けが容易になる。それでいて、取付け具がパレット７に一旦取着されると、主板片１の内面１１が盤状パレット７の角部７０に当接すると共に舌片３が挿入穴７２を形成する穴壁７０１,７１１に係止されて舌片３の動きが規制されるので、簡単には外れない構造になっている。安全性の面からも優れた取付け具になる。樹脂製パレット７では後加工で取付け具用の取付孔を設けたりするのは厄介であり、またパレットの機械的強度を低下させる虞があることから問題があるが、本取付け具はこうした取付孔の穿設なしで、また止具を別途用意することなく樹脂製パレット７に取付けることができる。さらに円滑にして簡便に取着でき極めて有益なものになっている。
【００１７】
加えて、本取付け具は方形の樹脂製パレット７の四隅角部７０で、該パレット７から主板片１の厚みと平面視略Ｌ字形にして両側縁鉤付き副板片２の僅かな平面視膨らみとが外方に張り出すだけなので(図７)、パレット７からの張出部分が頗る小さくなる。その結果、与えられた敷地スペースに無駄なスペースが生じることなく、パレット７の収納効率を存分に高めて段積みできるようになる。本発明では特許文献１のごとく平面視でパレット７の内側に入る取付け金具やパレットサポート５による占有部分が存在せず、パレット７の内側を全て有効活用できる。一方、図１１の取付け金具のごとくパレット７の側部７ｃで円筒部８１が大きく張り出すようなことがないので、倉庫等で横一列にパレット７を並べていっても、図１１の取付け金具が抱えるスペースロスの問題は生じない。本取付け具はパレット７をたくさん敷き詰めて、保管する際に有用になる。いくつか横一列に並べていくと、図１１の取付け金具に比べ、一個のパレット７を余分に敷き詰めることができる。倉庫等で奥行き方向にもパレット７を並べる場合は、奥行き方向に並ぶパレット数の掛け合わせでパレット収納容量が増え、さらにパレット７が段積みされれば、段積み数の更なる掛け合わせでパレット７の収納容量が増え多大なメリットを生む。
【００１８】
しかも、本取付け具に用いるパレットサポート５はＬ形鋼からなる支柱部材で門形枠を形成し、機械的強度確保が十分になされるので何ら支障はない。またＬ形溝４の下端で、副板片２の下縁部分が主板片１側に屈曲して前記Ｌ形溝４に嵌入する支柱部材５２に係る基端部分５２１の係止用ストッパ部２２が形成されるので、Ｌ形溝４にパレットサポート５を嵌入しても該ストッパ部２２で係止され、支柱部材５２がＬ形溝４の下方へ突き出ることがない。パレットサポート５はＬ形溝４に安定保持され、パレット７の段積みも容易になる。またストッパ部２２には一部を切欠き水抜き孔４１が設けられるので、Ｌ形溝４内に雨水が溜まることがなく屋外設置も可能になる。
かくのごとく、本取付け具は比較的簡単な構造でありながら、樹脂製パレット７の収納効率を高め、さらに樹脂製パレット７に係脱自在に取着できるなど数々の優れた効果を発揮する。
【００１９】
尚、本考案においては、前記実施形態,実施例に示すものに限られず、目的,用途に応じて本考案の範囲で種々変更できる。主板片１,副板片２，舌片３,パレットサポート５,樹脂製の盤状パレット７等の形状,大きさ等は用途等に合わせて適宜選択できる。
【図面の簡単な説明】
【００２０】
【図１】本考案の取付け具の一形態で、その斜視図である。
【図２】取付け具の正面図である。
【図３】取付け具の平面図である。
【図４】樹脂製パレットの斜視図である。
【図５】図４のパレットの角部周りの拡大斜視図である。
【図６】取付け具の舌片をパレットの挿入穴へ挿入する様子を示した斜視図である。
【図７】舌片が挿入穴に挿着された状態の一部破断平面図である。
【図８】舌片が挿入穴に挿着された状態の拡大斜視図である。
【図９】パレットに取付けられた取付け具にパレットサポートを取着した斜視図である。
【図１０】パレットの四隅に取付け具を係止した姿態の平面図である。
【図１１】従来技術の説明斜視図である。
【符号の説明】
【００２１】
１          主板片
１ａ        一の平板部
１ｂ        他の平板部
１０        外面(角部外面)
１１        内面
１３        角部
２          副板片
２２        ストッパ部
３          舌片
３１        基端部
３２        先端部
４          Ｌ形溝
５          パレットサポート
５２        支柱部材
５２１      基端部分
７          パレット(樹脂製で方形の盤状パレット)
７０        角部
７０１      穴壁
７１１      穴壁
７２        挿入穴
【図１】
0003123989.tif 000003
【図２】
0003123989.tif 000004
【図３】
0003123989.tif 000005
【図４】
0003123989.tif 000006
【図５】
0003123989.tif 000007
【図６】
0003123989.tif 000008
【図７】
0003123989.tif 000009
【図８】
0003123989.tif 000010
【図９】
0003123989.tif 000011
【図１０】
0003123989.tif 000012
【図１１】
0003123989.tif 000013